(57)【要約】  本発明の対象は、ａ）フォーム又は多孔性材料製の核、ｂ）核ａ）上に施された外層、及びｃ）外層ｂ）とは異なる、熱可塑性合成物質製のホイル  を含む複合要素である。【特許請求の範囲】
【請求項１】
ａ）フォーム又は多孔性材料製の核、
ｂ）核ａ）上に施された外層、及び
ｃ）外層ｂ）とは異なる、熱可塑性合成物質製のホイル、
を含む複合要素。
【請求項２】
核ａ）が、連続気泡ポリウレタン硬質フォーム、独立気泡ポリウレタン硬質フォーム、及びメラミン−ホルムアルデヒド−フォームを含む群から選ばれるフォームであることを特徴とする請求項１に記載の複合要素。
【請求項３】
核ａ）がエーロゲルであることを特徴とする請求項１に記載の複合要素。
【請求項４】
外層ｂ）が、ガスに対する遮断層、難燃層、及び機械的な支持層を含む群から選ばれることを特徴とする請求項１〜３の何れか１項に記載の複合要素。
【請求項５】
外層ｂ）が、金属ホイル−又は金属−複合ホイルであることを特徴とする請求項１〜４の何れか１項に記載の複合要素。
【請求項６】
外層ｂ）が、メタライゼーション又はラミネーションにより形成された金属層を有する複数層複合体ホイルであることを特徴とする請求項１〜５の何れか１項に記載の複合要素。
【請求項７】
外層ｂ）の金属層がアルミニウムでできていることを特徴とする請求項１〜６の何れか１項に記載の複合要素。
【請求項８】
外層ｂ）が、核ａ）を完全に包囲したホイルであり、その核ａ）は排気されていることを特徴とする請求項１〜７の何れか１項に記載の複合要素。
【請求項９】
ホイルｃ）が、複合要素の２つの対向する側にのみ施されていることを特徴とする請求項１〜８の何れか１項に記載の複合要素。
【請求項１０】
外層ｂ）とホイルｃ）の間に、接着剤が施されていることを特徴とする請求項１〜９の何れか１項に記載の複合要素。
【請求項１１】
ホイルｃ）のための材料が、ポリ塩化ビニル、スチレンコポリマー、ポリプロピレン、フッ化ポリビニリデン、熱可塑性ポリウレタン（ＴＰＵ）、及びポリメチルメタクリレート（ＰＭＭＡ）、及び熱可塑性ポリウレタンとスチレンコポリマーとの混合物を含む群から選ばれることを特徴とする請求項１〜１０の何れか１項に記載の複合要素。
【請求項１２】
以下の工程、
ａ１）フォーム又は多孔性材料製の核ａ）を準備する工程、
ｂ１）前記核をホイルｂ）で覆う工程、
ｃ１）核ａ）を排気し、及びホイルｂ）を気密に封止する工程、
ｄ１）被覆された核ａ）を、少なくとも１つのホイルｃ）と一緒にチャンバー内に配置し、そしてホイルｃ）と被覆された核とを分離した状態で固定する工程、
ｅ１）チャンバーから空気を除去する工程、
ｆ１）合成物質ホイルｃ）を加熱する工程、
ｇ１）合成物質ホイルｃ）を被覆された核ａ）の表面上にプレスする工程、
ｈ１）複合要素を取り出す工程、
を含むことを特徴とする請求項１〜１１の何れか１項に記載の複合要素を製造するための方法。
【請求項１３】
工程ｄ１）及びｅ１）の間で、接着剤を、被覆された核、及び／又はホイルｃ）上に施すことを特徴とする請求項１２に記載の方法。
【請求項１４】
工程ｆ１）で、ホイルｃ）を、軟化点を超えて加熱することを特徴とする請求項１２又は１３に記載の方法。
【請求項１５】
工程ｂ１）及びｃ１）を、同じ装置内で行うことを特徴とする請求項１２〜１４の何れか１項に記載の方法。
【請求項１６】
請求項１〜１１の何れか１項に記載の複合要素を、冷却装置を製造するために使用する方法。
【発明の詳細な説明】
【技術分野】
【０００１】
本発明の対象は、フォーム又は多孔性材料からできており、且つ合成物質のホイルで被覆されている核から構成される複合要素である。
【背景技術】
【０００２】
少なくとも１つの被覆層で囲まれているフォームから構成される複合材料は、一般的に公知である。これらは装飾的な目的に使用され、しかしながら好ましくは断熱、例えば建物又は冷却装置の断熱に使用される。
【０００３】
冷却装置は、商業部門にも、民間部門にも大きな意義を有している。その製造は大抵の場合、ケーシング（外被）を製造し、このケーシングにポリウレタン−硬質フォーム系の液状混合物を施してポリウレタンに硬化させることによって行われる。
【０００４】
熱伝導率を低下させるために、最近では簡略化してＶＩＰとも称される、いわゆる真空断熱パネルが使用されている。これらも大抵は、ケーシングの中に施され、そしてその個所でポリウレタン−硬質フォームで発泡される。
【０００５】
これらの方法は手間がかかり面倒である。特に、ＶＩＰの導入に、固定が必要になる。輸送と更なる処理、及びＶＩＰの発泡で、（例えば溶接の継ぎ目部の領域で）これらが損傷を受ける危険性が生じる。
【０００６】
基材を合成物質ホイルで包む（被覆する）ための、ある公知の方法は、Ｐｅｒｍａｓｋｉｎ法である。この方法は、例えば特許文献１（ＷＯ０１／３２４００）に記載されている。
【０００７】
ここで、所定の成形体（型）がチャンバー内で、相互に所定の距離を置いて配置された２つの熱可塑性のホイルの間に配置され、及び固定され、その後、チャンバーから空気が排出され、そしてこれにより（ホイルの間で真空が維持される間）ホイルが成形体の表面に押し付けられる。ここで、ホイルは好ましくは加熱され、特にホイルの軟化温度を超える温度に加熱される。
【０００８】
ポリウレタン−硬質フォーム、例えば熱−／冷温遮断の領域で使用されるものは、原則として基材としても使用することができる。これらは特許文献２（ＷＯ２００８／１３５５５０）に記載されている。このようにして製造された、両側が被覆された硬質ファーム要素は、改良された耐荷重性、耐破断性、耐天候性、及び改良された感触、液体の侵入に対する改良された遮断作用を示す。実施例では、Ｎｅｏｐｏｌｅｎの硬質フォームが被覆されている。ポリウレタン−硬質フォームを使用可能なことも記載されている。使用される硬質フォームは、更なる、予め施された機能性の層を有していない。
【先行技術文献】
【特許文献】
【０００９】
【特許文献１】ＷＯ０１／３２４００
【発明の概要】
【発明が解決しようとする課題】
【００１０】
しかしながら、このようにして製造された成形体は、ガス−交換プロセスのために、長期的には、不適切な遮断特性しか示さない。更に、機械的な荷重（負荷）、例えば尖った又は鋭角の物品で負荷をかけた時に生じるような機械的な荷重に対する安定性（丈夫さ）が小さい。
【００１１】
本発明の目的は、冷却装置のために使用可能であり、及び場合によりＶＩＰの組込み（内装）を許容する複合要素を提供することにある。本発明の複合要素は、容易に製造され、機械的な強度が良好であり、及び自重（正味重量）が低いものであることが意図されている。本発明の複合要素は、装飾的な層を施すことが可能であることが意図されている。
【課題を解決するための手段】
【００１２】
この課題は驚くべきことに、本発明の対象、すなわち、
ａ）フォーム又は多孔性材料、好ましくはフォーム製の核、
ｂ）核ａ）上に施された外層、及び
ｃ）外層ｂ）とは異なる、熱可塑性合成物質製のホイル
を含む複合要素によって解決される。
【００１３】
更に、本発明の対象は、複合要素の製造方法、及びその使用方法、特に冷却装置を製造するために使用する方法である。
【発明を実施するための形態】
【００１４】
核ａ）は、好ましくは、フォーム及び多孔性材料を含む群から選ばれる。
【００１５】
フォームａ）は、好ましくは、連続気泡ポリウレタン−硬質フォーム、独立気泡ポリウレタン−硬質フォーム及びメラミン−ホルムアルデヒド−フォームを含む群から選ばれる。
【００１６】
多孔性材料は好ましくは、モノリス性の有機、又は無機ポリマーであり、これは以降、モノリスとも称される。モノリスについては、エーロゲルが特に好ましい。エーロゲルは、（臨界超過の条件下で乾燥された）多孔性のゲルである。
【００１７】
本発明の好ましい一実施の形態では、核ａ）はフォーム、特に硬質フォームである。使用する分野に応じて複合要素は、連続気泡又は独立気泡のフォームである。連続気泡フォームは、ポリウレタン−硬質フォーム又はメラミン−ホルムアルデヒド−フォームであり、好ましくはポリウレタン−硬質フォーム、及び特に連続気泡ポリウレタン−硬質フォームである。
【００１８】
硬質フォームについては、本発明の範囲内で。ＤＩＮ ７７２６（０５／１９８２）に従うフォーム（該フォームは、圧縮負荷下での変形に、比較的高い抵抗性を有する（１０％の圧縮での圧縮応力、又はＤＩＮ ５３４２１，０６／１９８４に従う圧縮強度≧８０ｋＰａ））であると理解される。
【００１９】
核ａ）として使用されるポリウレタン−硬質フォームは公知である。排気可能な（空にすることができる）連続気泡フォームも、種々に記載されており、例えば特許文献１（ＥＰ２０７２５４８）に記載されている。フォームは更に処理することなく、核ａ）として使用できる。特許文献２（ＷＯ２００６／１２０１８３）には、排気性を改良するために、フォームを圧縮することができることが記載されている。
【００２０】
メラミン−ホルムアルデヒド−フォームも、例えば特許文献３（ＥＰ７４５９３）から同様に公知である。このような生成物は例えば、ＢＡＳＦ ＳＥからのＮａｍｅｎ Ｂａｓｏｔｅｃｔ（登録商標）で販売されている。
【００２１】
核ａ）として採用するために使用可能なエーロゲルは、例えば特許文献４（ＷＯ２００７／０６５８４７）に記載されている。
【００２２】
外層ｂ）（外部層ｂ））は、好ましくは、ガスに対する遮断層（これは拡散遮断体とも称され、ここで水蒸気もガスとして考慮される）、難燃層、及び機械的な支持層を含む群から選ばれる。
【００２３】
拡散遮断体は、好ましくは、水蒸気及び他のガスに対して緊密な（漏れない、又は非浸透性の）ホイルである。
【００２４】
難燃性遮断体は、好ましくは、ミネラルウール、アルカリ金属シリケート層（例えば特許文献５（ＷＯ２００６／０４００９７）に記載されているもの）で作られた薄い層状のマット、又は他の公知の難燃材、例えばリン、グラファイト、メラミン、又は三酸化アンチモニで作られた層を含む。
【００２５】
機械的に支持された層（被覆層）は、好ましくは、板紙、合成物質（プラスチック）、又は金属薄板で構成された１層又は複数ラミネーション層を含み、これらは場合により追加的にその下部に位置するハニカム構造によって強化されていても良い。
【００２６】
外層ｂ）として使用される拡散遮断体は、上述したように、ホイルであることが特に好ましい。
【００２７】
外層ｂ）は、最も単純な場合には金属層であり、アルミニウム製のホイルが好ましい。外層ｂ）は、複合ホイルであることが好ましい。
【００２８】
特に好ましくは、外層ｂ）は、メタライゼーションされた、又はラミネーションにより形成された金属層を有する、複数層複合体を含む。
【００２９】
外層ｂ）として使用されるホイルの金属層は、特に好ましくはアルミニウムでできている。
【００３０】
従って外層ｂ）は、特に、アルミニウム−又はアルミニウム複合体ホイルである。
【００３１】
外層ｂ）として使用されるホイル自体は特に、ポリエステル、ポリ塩化ビニル、ポリオレフィン、例えばポリエチレン、又はポリプロピレン、又はポリビニルアルコールでできている。
【００３２】
真空絶縁パネルの分野では、後に密封化を行うために、（厚さが約６マイクロメーターのアルミニウム層、及びポリエチレン層でできた）アルミニウム複合体ホイルｂ）、又はＡｌがメタライゼーションされたポリエチレン−又はポリエチレンテレフタレート−積層体でできた、金属化された高遮断性積層体（ここで、Ａｌ層の厚さは僅か３０〜１００ｎｍである）が好ましい。金属化された高遮断積層体は、小さな分子、例えば水の侵入を、拡散路を長くすることによって防止するために、少なくとも２つのＡｌ層から構成される。しかしながら、複合要素を断熱に使用する場合、金属層の厚さは、数マイクロメーターを超えてはならない。この理由は、そうでなければ熱の逃げ道、を介した、特に角部での消費による熱の損失が非常に大きくなるからである。
【００３３】
本発明の好ましい一実施の形態では、外層ｂ）は、核ａ）を完全に包んでいるホイルである。特に好ましくは、外層ｂ）は上述したように、ガス非透過性のホイルである。本発明のこの実施の形態では、核ａ）は、好ましくは排気されている。
【００３４】
この実施の形態では、核ａ）として、好ましくは、上述した連続気泡フォーム、例えば連続気泡ポリウレタン硬質フォーム、及びメラミン−ホルムアルデヒド−フォームが使用される。ここで核ａ）は、外層ｂ）によって完全に包まれ、そしてガスに対して緊密に閉じられている（封止されている）。
【００３５】
ホイルｃ）は上述したように、熱可塑性合成物質で構成されている。この熱可塑性合成物質は、好ましくは、ポリビニルクロリド、スチレンコポリマー、ポリプロピレン、ポリビニリデンフルオリド、熱可塑性ポリウレタン（ＴＰＵ）、及びポリメチルメタクリレート（ＰＭＭＡ）、及び熱可塑性ポリウレタンとスチレンポリマーとの混合物を含む群から選ばれる。
【００３６】
このようなホイルは公知であり、そして例えばＷＯ２００４／０９８８７８に記載されている。
【００３７】
使用するホイルｃ）は、好ましくは厚さが、５０〜７５０μｍ、好ましくは１００〜５００μｍ、及び特に好ましくは２００〜３５０μｍである。これらは、顆粒状態の対応する出発物質から、ホイルを製造するための公知の方法を使用して製造することができる。ここで、ブローホイル、又はキャストホイルを含めることができ、キャストホイルを製造するためには押出法が好ましい。
【００３８】
接着特性を改良するために、ホイルは、１面又は２面上をコロナ処理することができる。
【００３９】
ＷＯ２００８／１３５５５０には、ホイルｃ）の特殊な実施の形態が記載されている。これらは熱可塑性ポリウレタン（ＴＰＵ）及びアクリロニトリル−スチレン−アクリルエステル−コポリマー（ＡＳＡ）を含む混合物から構成されている。
【００４０】
これらの混合物（１）は、混合物（１）の全質量に対して、好ましくは混合物（１）中の（Ａ）と（Ｂ）の重量の合計に対して、１質量％（重量％）〜４０質量％、好ましくは３質量％〜３０質量％、特に好ましくは５質量％〜２５質量％の（Ａ）熱可塑性ポリウレタン、特に脂肪族イソシアネートに基づく熱可塑性ポリウレタン、及び６０質量％〜９９質量％、好ましくは７０質量％〜９７質量％、特に好ましくは７５質量％〜９５質量％の（Ｂ）アクリルニトリル−スチレン−アクリルエステル−コポリマー（ＡＳＡ）及び／又はアクリルニトリル−エチレンホモ、又はコポリマー−スチレン（ＡＥＳ）−材料、好ましくはアクリロニトリル−スチレン−アクリルエステル−コポリマー（ＡＳＡ）を含む。
【００４１】
ＡＳＡ（Ｂ）は、好ましくは以下のものに基づく：
（Ｂ１）１０〜９０質量％（重量％）の少なくとも１種のグラフトラバーであって、以下のものに基づくもの
（Ｂ１１）５０〜９５質量％のグラフトベースであって、以下のもので製造されるもの
（Ｂ１１１）７０〜９９．９質量％の少なくとも１種のアクリル酸アルキルエステル
（Ｂ１１２）０．１〜３０質量％の少なくとも１種の、少なくとも２官能性の架橋剤、
（Ｂ１１３）０〜２９．９質量％の少なくとも１種の、更なる共重合可能なモノマー、
（Ｂ１２）５〜５０質量％のグラフトシェルであって、以下のものに基づくもの
（Ｂ１２１）６５〜９０質量％、好ましくは７０〜８０質量％の少なくとも１種のビニル芳香族モノマー、
（Ｂ１２２）１０〜３５質量％、好ましくは２０〜３０質量％の少なくとも１種の極性の、共重合可能な不飽和性モノマー、好ましくはアクリロニトリル、及び／又はメタクリロニトリル、
（Ｂ１２３）０〜２５質量％の少なくとも１種の更なる共重合可能なコモノマー、
（Ｂ２）１０〜９０質量％の、以下の成分で製造される、少なくとも１種のコポリマー
（Ｂ２１）６０〜８５質量％の少なくとも１種のビニル芳香族モノマー、
（Ｂ２２）１５〜４０質量％の少なくとも１種の極性の、共重合可能な不飽和性モノマー、
（Ｂ２３）０〜９質量％の少なくとも１種のコモノマー。
【００４２】
ここで、（Ｂ１）〜（Ｂ２）についての質量データーは（Ｂ）の質量に基づき、（Ｂ１１）及び（Ｂ１２）についての質量データーは（Ｂ１）の質量に基づき、（Ｂ１１１）、（Ｂ１１２）及び（Ｂ１１３）についての質量データーは、成分Ｂ（１１）の質量に基づき、（Ｂ１２１）、（Ｂ１２２）及び（Ｂ１２３）は（Ｂ１２）の質量に基づき、及び（Ｂ２１）、（Ｂ２２）及び（Ｂ２３）についての質量データーは（Ｂ２）の質量に基づいている。
【００４３】
ＡＥＳ材料は、ポリスチレン、及びアクリロニトリル及び場合により他のモノマーからできたマトリックスで構成される。好ましい成分Ｂについて上述したデーターに関し、ＡＥＳ材料は、成分ＡＳＡ材料とは成分Ｂ１１で異なる（成分Ｂ１１は、ＡＥＳ材料の場合には、エチレンホモ−又はコポリマーに基づくことができる）。使用可能なコポリマーとして、例えばＣ３−〜Ｃ２０−アルファ−オレフィン、好ましくはＣ３−〜Ｃ８−アルファ−オレフィンが例示される。ＡＥＳ−合成物質の適切な組成、及びその関連した製造方法が、Ｈａｎｄｂｕｃｈ ｄｅｒ Ｔｅｃｈｎｉｓｃｈｅｎ Ｐｏｌｙｍｅｒｃｈｅｍｉｅ，ＶＣＨ Ｖｅｒｌａｇ，１９９３、特に第４９０頁に詳細に記載されている。
【００４４】
ＴＰＵは、好ましくは、脂肪族ＴＰＵで、使用されるイソシアネートとしてヘキサメチレンジイソシアネート−１，６（ＨＤＩ）が特に好ましい。
【００４５】
ホイルｂ）及びｃ）の間の接着（付着）を改良するために、両方のホイルの間に接着剤を施すことが好ましい。
【００４６】
接着剤として、好ましくはポリウレタンに基づく水性系が使用される（１成分系であっても２成分系であっても良い）。
【００４７】
１成分接着剤としては、大抵の場合、ポリウレタン分散物が考慮される。これらは公知であり、そして市販されており、ここで記載しても良い例はＪｏｗａｔ社のＪｏｗａｔ（登録商標）１５０．５０である。使用可能な２成分接着剤は、大抵の場合、ポリウレタン分散物、例えばＪｏｗａｐｕｒ（登録商標）１５０．３０と、イソシアネート、例えばＪｏｗａｔ社のＪｏｗａｔ（登録商標）１９５．４０の組み合わせである。アクリレート−又はエポキシド樹脂ベースの接着剤も使用するのに適切である。
【００４８】
接着剤の供給（塗布）は、通常の方法、例えばスプレーダー塗布、ローラー塗布、又はスプレー塗布することによって行うことができ、ここでスプレー塗布が特に好ましい。上述したシステムでは、接着剤を施した後、室温で２０分間乾燥させることで十分である。
【００４９】
接着剤が、ホイルｂ）及びｃ）上に存在することが可能であり、ホイルｃ）上に存在することが好ましい。エラストマー性スチレン−ブタジエン−ブロックポリマーに基づく接着促進剤を有する２層のホイルが特に適切であり、これらの例は、本発明に従い硬質フォームに塗布する場合には、ＷＯ−Ａ９６／２３８２３及びＷＯ−Ａ９７／４６６０８に記載されたものである。上述した接着ホイルを使用することにより、通常、追加的な接着剤の使用を省略することができる。好ましくは、支持体層、例えばポリスチレン、ＨＩＰＳ、ＡＳＡ、ポリアミド、ポリプロピレン、ポリエチレン又はポリエステル、及びエラストマー性サーモプラスト、例えば上述したスチレン−ブタジエン−ブロックポリマーでできた接着促進剤層から構成される、共押出された２層ホイルが使用される。
【００５０】
複合要素は通常、ＤＩＮ Ａ４フォーマットから数平方メートルまでの寸法を有する。複合要素の層厚さは、通常、５０〜２０００ｍｍの範囲である。
【００５１】
複合要素の製造は、好ましくは、ＷＯ０１／３２４００に記載された方法に従って行われる。
【００５２】
これらの方法は通常、以下の工程を含む；
−核を準備する工程、
−層ｂ）を施す工程、
−被覆された（フォーム又は多孔性材料から構成される）核ａ）を、少なくとも１つのホイルｃ）と一緒に、ホイルｃ）と被覆された核を分離した状態で、チャンバー内に配置し、及びこれらを固定する工程、
−チャンバーから空気を排気する工程、
−合成物質ｃ）を加熱する工程、及び
−合成物質ｃ）を被覆された核ａ）の表面にプレスする工程、
−複合要素を取り出す工程。
【００５３】
多くの場合、層ｂ）は、別個の方法で核ａ）に施すことができる。
【００５４】
ホイルを外層ｂ）（外側層ｂ））として使用する場合、外層ｂ）として使用されるホイルの供給（被覆）は、ホイルｃ）を施すための装置に挿入する前に、直接的に行うこともできる。
【００５５】
ホイルｂ）とｃ）を同じ装置内で施すことも可能である。
【００５６】
核ａ）が排気される（空にする）場合、排気及び成分ｂ）での密封化は、ホイルｃ）を施す前に行うことができる。
【００５７】
このような方法は以下の構成を含むことができる；
ａ１）フォーム又は多孔性材料製の核ａ）を準備する工程、
ｂ１）核をホイルｂ）で覆う（被覆する）工程、
ｃ１）核ａ）を排気し、そしてホイルｂ）を気密的に封止する工程、
ｄ１）被覆された核ａ）を、少なくとも１つのホイルｃ）と一緒に、且つホイルｃ）と被覆された核とを分離した状態でチャンバー内に配置し、及びこれらを固定する工程、
ｅ１）チャンバーから空気を除去（真空化）する工程、
ｆ１）合成物質ｃ）を加熱する工程、および
ｇ１）合成物質ホイルｃ）を被覆された核ａ）の表面にプレスする工程、
ｈ１）複合要素を取り出す工程。
【００５８】
本発明の方法に従う他の実施の形態では、核の排気(evacuation)は、ホイルｃ）を施すための装置内で行うことができる。
【００５９】
このような方法は、以下の工程を含む；
Ａ）フォーム又は多孔性材料製の核ａ）を準備する工程、
Ｂ）核をホイルｂ）で覆う（被覆する）工程、
Ｃ）被覆された核ａ）を、少なくとも１つのホイルｃ）と一緒に、且つホイルｃ）と被覆された核とを分離した状態でチャンバー内に配置し、及びこれらを固定する工程、
Ｄ）チャンバーから空気を除去（真空化）する工程、
Ｅ）ホイルｂ）を気密的に閉鎖する（封止する）工程、
Ｆ）合成物質ｃ）を加熱する工程、
Ｇ）合成物質ｃ）を被覆された核ａ）の表面にプレスする工程、
Ｈ）複合要素を取り出す工程。
【００６０】
本発明に従う方法の、この実施の形態では、核ａ）に成分ｂ）を別個に施すよりも、容易に及び迅速に工程を行うことができる。
【００６１】
工程ｄ）とｅ）の間で、被覆された核及び／又はホイルｃ）に接着剤を施すことが好ましい。
【００６２】
ホイルｃ）は、工程ｆ）で、軟化点を超えて加熱されることが好ましい。
【００６３】
好ましくは、工程ｂ）と工程ｃ）は、同じ装置内で行われる。
【００６４】
合成物質ホイルで核ａ）の両面を被覆するための、本発明に従う方法について、以下のことが本質的である；
−カプセル内で、成形体(molding)とホイルとが分離した状態で配置され、そして固定される、
−カプセルから空気が除去され、そして
−ホイルの間に真空状態が形成される間、ホイルが成形体の対向する面にプレスされる。これにより、表面の障害、例えば折り目、又はゆがみが防止される。
【００６５】
ホイルｃ）は、複合要素の１面に施すことができる。好ましくは、ホイルｃ）は、成形体(molding)の対向する２面に施される。ここで、ホイルｃ）は、成形体の縁部で締めくくる(flush with)ことができ、そして本発明の他の実施の形態では、ホイルｃ）を成形体の縁部で屈折させることができる。ここで、成形体はホイルｃ）によって完全に囲まれることも可能である。
【００６６】
本発明に従う複合要素は、種々に使用することができる。例えば、これらは建築業、例えば建物の断熱に使用することができる。ここでホイルｃ）は、装飾的な目的にも、天候に影響に対する核ａ）の保護にも使用することができる。
【００６７】
種々の外層ｂ）によって、（例えば、難燃性についての）複合要素の所望の特性を得ることができる。
【００６８】
本発明に従う成形体を、冷却装置の製造に使用することが特に有利である。複合要素は、冷却装置の壁、又はドアの形式で製造することができる。これらの構造部分を、冷却装置を組み立てるのに使用することができる。これにより、冷却装置の製造が相当に容易化される。ここでも、ホイルｃ）によって、冷却装置の色及び装飾を変化させることができる。更に、表面の保護が達成される。
【００６９】
排気された（空にされた）複合要素を使用することによって更に、冷却装置の熱伝導性を低減することができる。
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
ａ）フォーム又は多孔性材料製の核；ｂ）核ａ）上に施された外層、；及びｃ）外層ｂ）とは異なる、熱可塑性合成物質製のホイルを含む複合要素を製造するための方法であって、以下の工程：
−外層ｂ）で被覆された核ａ）を、少なくとも１つのホイルｃ）と一緒に、且つホイルｃ）と被覆された核ａ）とが分離された状態で、チャンバー内に配置し、及びこれらを固定する工程、
−チャンバーから空気を除去する工程、
−合成物質ホイルｃ）を加熱する工程、
−合成物質ホイルｃ）を被覆された核ａ）の表面上にプレスする工程、及び
−複合要素を取り出す工程、
を含むことを特徴とする方法。
【請求項２】
核ａ）が、連続気泡ポリウレタン硬質フォーム、独立気泡ポリウレタン硬質フォーム、及びメラミン−ホルムアルデヒド−フォームを含む群から選ばれるフォームであることを特徴とする請求項１に記載の方法。
【請求項３】
核ａ）がエーロゲルであることを特徴とする請求項１に記載の方法。
【請求項４】
外層ｂ）が、ガスに対する遮断層、難燃層、及び機械的な支持層を含む群から選ばれることを特徴とする請求項１〜３の何れか１項に記載の方法。
【請求項５】
外層ｂ）が、金属ホイル−又は金属−複合ホイルであることを特徴とする請求項１〜４の何れか１項に記載の方法。
【請求項６】
外層ｂ）が、メタライゼーション又はラミネーションにより形成された金属層を有する複数層複合体ホイルであることを特徴とする請求項１〜５の何れか１項に記載の方法。
【請求項７】
外層ｂ）の金属層がアルミニウムでできていることを特徴とする請求項１〜６の何れか１項に記載の方法。
【請求項８】
外層ｂ）が、核ａ）を完全に包囲したホイルであり、その核ａ）は排気されていることを特徴とする請求項１〜７の何れか１項に記載の方法。
【請求項９】
ホイルｃ）が、複合要素の２つの対向する側にのみ施されていることを特徴とする請求項１〜８の何れか１項に記載の方法。
【請求項１０】
外層ｂ）とホイルｃ）の間に、接着剤が施されていることを特徴とする請求項１〜９の何れか１項に記載の方法。
【請求項１１】
ホイルｃ）用の材料が、ポリ塩化ビニル、スチレンコポリマー、ポリプロピレン、ポリフッ化ビニリデン、熱可塑性ポリウレタン（ＴＰＵ）、及びポリメチルメタクリレート（ＰＭＭＡ）、及び熱可塑性ポリウレタンとスチレンコポリマーとの混合物を含む群から選ばれることを特徴とする請求項１〜１０の何れか１項に記載の方法。
【請求項１２】
以下の工程、
ａ１）フォーム又は多孔性材料製の核ａ）を準備する工程、
ｂ１）前記核をホイルｂ）で覆う工程、
ｃ１）核ａ）を排気し、及びホイルｂ）を気密に封止する工程、
ｄ１）被覆された核ａ）を、少なくとも１つのホイルｃ）と一緒にチャンバー内に配置し、そしてホイルｃ）と被覆された核とを分離した状態で固定する工程、
ｅ１）チャンバーから空気を除去する工程、
ｆ１）合成物質ホイルｃ）を加熱する工程、及び
ｇ１）合成物質ホイルｃ）を被覆された核ａ）の表面上にプレスする工程、
ｈ１）複合要素を取り出す工程、
を含むことを特徴とする請求項１〜１１の何れか１項に記載の複合要素を製造するための方法。
【請求項１３】
工程ｄ１）及びｅ１）の間で、接着剤を、被覆された核、及び／又はホイルｃ）上に施すことを特徴とする請求項１２に記載の方法。
【請求項１４】
工程ｂ１）及び工程ｃ１）を、同じ装置内で行うことを特徴とする請求項１２又は１３の何れかに記載の方法。
【請求項１５】
請求項１〜１５の１項以上に記載の方法によって得ることができる複合要素。
【請求項１６】
請求項１５に記載の複合要素を、冷却装置を製造するために使用する方法。
【国際調査報告】
2014508057.tif 000002
2014508057.tif 000003
2014508057.tif 000004
2014508057.tif 000005
2014508057.tif 000006
2014508057.tif 000007
2014508057.tif 000008
2014508057.tif 000009